(57)【特許請求の範囲】
【請求項１】
マスクが有するパターンに対して照明光を照射し、前記パターンの投影像を物体上に設けられた複数の区画領域のそれぞれに投影しながら走査露光を行う露光装置であって、
前記照明光を前記物体に対して発する照明系と、
前記投影像を前記物体に投影する投影系と、
前記マスク上において走査方向に互いに離れて形成された複数の第１マークと、前記物体上において前記走査方向に互いに離れて形成された複数の第２マークとをそれぞれ検出する検出部と、
前記複数の第１マークと前記複数の第２マークとを検出するよう、前記検出部を前記走査方向へ移動させる検出部駆動系と、
前記検出部の検出結果に基づいて前記マスクに対する相対位置が調整された前記物体上の第１区画領域が前記走査露光されるよう、互いに対向する前記第１区画領域及び前記マスクに対して、走査方向の一方側に位置する前記照明系及び前記投影系を、前記走査方向の他方側へ相対的に移動させる駆動系と、
前記第１区画領域に対向する前記マスクが、前記走査方向に関して前記第１区画領域の一方側に設けられた第２区画領域に対向するように、前記物体に対して前記マスクを前記走査方向へ相対移動させるマスク駆動系と、を備え、
前記駆動系は、前記マスク駆動系による前記物体に対する前記マスクの前記走査方向への相対移動中に、前記走査方向に関して前記第１区画領域の他方側に位置する前記照明系と前記投影系とを一方側へ移動させ、
前記検出部駆動系は、前記第２区画領域に対する前記走査露光の前に、前記走査方向に関して前記照明系及び前記投影系に対する前記検出部の間隔が変更されるよう、前記検出部を前記走査方向へ移動させる露光装置。
【請求項２】
前記駆動系は、前記検出部の検出結果に基づいて前記マスクに対する相対位置が調整された前記第２区画領域が前記走査露光されるよう、前記照明系と前記投影系とを、前記走査方向に関して前記第２区画領域の他方側から一方側へ移動させる請求項１に記載の露光装置。
【請求項３】
前記走査露光された前記第２区画領域に対向する前記マスクが、前記走査方向と交差する非走査方向に関して前記第２区画領域と位置が異なる第３区画領域に対向するように、前記マスクに対して前記物体を前記非走査方向へ相対移動させる物体駆動系を更に備える請求項２に記載の露光装置。
【請求項４】
前記駆動系は、前記パターンの一部の投影像が前記区画領域の一部に前記走査露光された前記物体と前記マスクとに対して、前記照明系と前記投影系とを前記非走査方向へ相対移動させる請求項３に記載の露光装置。
【請求項５】
前記駆動系は、前記パターンの他部の投影像が前記区画領域の他部に前記走査露光されるよう、前記非走査方向に相対移動された前記照明系及び前記投影系を前記走査方向へ相対移動させる請求項４に記載の露光装置。
【請求項６】
前記投影系は、前記区画領域の一部に対する前記走査露光において、前記非走査方向に関して前記区画領域の半分の長さを有する前記パターンの一部の投影像を前記物体に投影する請求項４又は５に記載の露光装置。
【請求項７】
前記投影系は、前記区画領域の一部に対する前記走査露光において、前記非走査方向に関して所定間隔で離間した複数の領域から成る前記パターンの一部の投影像を前記物体に投影する請求項４又は５に記載の露光装置。
【請求項８】
前記照明光が前記物体に照射される方向が水平面に平行であり、
前記物体は、前記走査露光される面が前記水平面に対して直交した状態で配置される請求項１〜７の何れか一項に記載の露光装置。
【請求項９】
前記駆動系は、前記照明系を駆動する第１駆動部と、前記投影系を駆動する第２駆動部と、を備え、
前記第１及び第２駆動部は、前記走査露光において、前記照明系と前記投影系とを同期して移動させる請求項１〜８の何れか一項に記載の露光装置。
【請求項１０】
前記物体は、フラットパネルディスプレイに用いられる基板である請求項１〜９の何れか一項に記載の露光装置。
【請求項１１】
前記基板は、少なくとも一辺の長さ又は対角長が５００ｍｍ以上である請求項１０に記載の露光装置。
【請求項１２】
請求項１０又は１１に記載の露光装置を用いてレジストが塗布された前記基板を露光することと、
露光された前記基板を現像することと、を含むフラットパネルディスプレイの製造方法。
【請求項１３】
請求項１〜９の何れか一項に記載の露光装置を用いてレジストが塗布された前記物体を露光することと、
露光された前記物体を現像することと、を含むデバイス製造方法。
【請求項１４】
マスクが有するパターンに対して照明光を照射し、前記パターンの投影像を物体上に設けられた複数の区画領域のそれぞれに投影しながら走査露光を行う露光方法であって、
検出部を前記走査方向へ移動させながら、前記マスク上において走査方向に互いに離れて形成された複数の第１マークと、前記物体上において前記走査方向に互いに離れて形成された複数の第２マークとを検出することと、
前記第１マーク及び前記第２マークの検出結果に基づいて、対向した状態で互いに相対位置が調整された前記物体上の第１区画領域及び前記マスクに対して、走査方向の一方側に位置する前記照明系及び前記投影系を、前記走査方向の他方側へ相対的に移動させ、前記第１区画領域の前記走査露光を行うことと、
前記第１区画領域に対向する前記マスクが、前記走査方向に関して前記第１区画領域の一方側に設けられた第２区画領域に対向するように、前記物体に対して前記マスクを前記走査方向へ相対移動させることと、
前記物体に対する前記マスクの前記走査方向への相対移動中に、前記走査方向に関して前記第１区画領域の他方側に位置する前記照明系と前記投影系とを一方側へ移動させることと、
前記第２区画領域に対する前記走査露光の前に、前記走査方向に関して前記照明系及び前記投影系に対する前記検出部の間隔が変更されるよう、前記検出部を前記走査方向へ移動させ、前記複数の第１マークと、前記物体上において前記走査方向に互いに離れて形成された複数の第３マークとを検出することと、
前記照明系と前記投影系とを、前記走査方向に関して前記第２区画領域の他方側から一方側へ移動させ、前記マスクに対向された前記第２区画領域の前記走査露光を行うことと、を含む露光方法。
【請求項１５】
前記走査露光された前記第２区画領域に対向する前記マスクが、前記走査方向と交差する非走査方向に関して前記第２区画領域と位置が異なる第３区画領域に対向するように、前記マスクに対して前記物体を前記非走査方向へ相対移動させることと、を更に含む請求項１４に記載の露光方法。
【請求項１６】
前記パターンの一部の投影像を前記区画領域の一部に対して前記走査露光することと、
前記パターンの一部の投影像が前記区画領域の一部に前記走査露光された前記物体と前記マスクとに対して、前記照明系と前記投影系とを前記非走査方向へ相対移動させることと、
前記非走査方向に相対移動された前記照明系及び前記投影系を前記走査方向へ相対移動させ、前記パターンの他部の投影像を前記区画領域の他部に対して前記走査露光することと、を更に含む請求項１４又は１５に記載の露光方法。
【請求項１７】
前記物体は、フラットパネルディスプレイに用いられる基板である請求項１４〜１６の何れか一項に記載の露光方法。
【請求項１８】
前記基板は、少なくとも一辺の長さ又は対角長が５００ｍｍ以上である請求項１７に記載の露光方法。
【請求項１９】
請求項１７又は１８に記載の露光方法を用いてレジストが塗布された前記基板を露光することと、
露光された前記基板を現像することと、を含むフラットパネルディスプレイの製造方法。
【請求項２０】
請求項１４〜１６の何れか一項に記載の露光方法を用いてレジストが塗布された前記物体を露光することと、
露光された前記物体を現像することと、を含むデバイス製造方法。
【発明の詳細な説明】
【技術分野】
【０００１】
本発明は、露光装置、露光方法、フラットパネルディスプレイの製造方法、及びデバイス製造方法に係り、更に詳しくは、物体に対してエネルギビームを所定の走査方向に走査する走査露光により、所定のパターンを物体上に形成する露光装置及び方法、並びに前記露光装置又は露光方法を用いるフラットパネルディスプレイ又はデバイスの製造方法に関する。
【背景技術】
【０００２】
従来、液晶表示素子、半導体素子（集積回路等）等の電子デバイス（マイクロデバイス）を製造するリソグラフィ工程では、マスク又はレチクル（以下、「マスク」と総称する）に形成されたパターンをエネルギビームを用いてガラスプレート又はウエハ（以下、「基板」と総称する）上に転写する露光装置が用いられている。
【０００３】
この種の露光装置としては、マスクと基板とを実質的に静止させた状態で、露光用照明光（エネルギビーム）を所定の走査方向に走査することで基板上に所定のパターンを形成するビームスキャン式の走査露光装置が知られている（例えば特許文献１参照）。
【０００４】
上記特許文献１に記載の露光装置では、基板上の露光対象領域とマスクとの位置誤差を補正するために、投影光学系を露光時の走査方向と逆方向に移動させながら投影光学系を介してアライメント顕微鏡によって基板上及びマスク上のマークの計測（アライメント計測）を行い、該計測結果に基づいて基板とマスクとの位置誤差を補正している。ここで、露光精度を向上させるためには、より多くのマークを計測することが望ましいが、スループットが低下する恐れがある。
【先行技術文献】
【特許文献】
【０００５】
【特許文献１】特開２０００−１２４２２号公報
【発明の概要】
【課題を解決するための手段】
【０００６】
本発明の第１の態様によれば、マスクが有するパターンに対して照明光を照射し、前記パターンの投影像を物体上に設けられた複数の区画領域のそれぞれに投影しながら走査露光を行う露光装置であって、前記照明光を前記物体に対して発する照明系と、前記投影像を前記物体に投影する投影系と、前記マスク上において走査方向に互いに離れて形成された複数の第１マークと、前記物体上において前記走査方向に互いに離れて形成された複数の第２マークとをそれぞれ検出する検出部と、前記複数の第１マークと前記複数の第２マークとを検出するよう、前記検出部を前記走査方向へ移動させる検出部駆動系と、前記検出部の検出結果に基づいて前記マスクに対する相対位置が調整された前記物体上の第１区画領域が前記走査露光されるよう、互いに対向する前記第１区画領域及び前記マスクに対して、走査方向の一方側に位置する前記照明系及び前記投影系を、前記走査方向の他方側へ相対的に移動させる駆動系と、前記第１区画領域に対向する前記マスクが、前記走査方向に関して前記第１区画領域の一方側に設けられた第２区画領域に対向するように、前記物体に対して前記マスクを前記走査方向へ相対移動させるマスク駆動系と、を備え、前記駆動系は、前記マスク駆動系による前記物体に対する前記マスクの前記走査方向への相対移動中に、前記走査方向に関して前記第１区画領域の他方側に位置する前記照明系と前記投影系とを一方側へ移動させ、前記検出部駆動系は、前記第２区画領域に対する前記走査露光の前に、前記走査方向に関して前記照明系及び前記投影系に対する前記検出部の間隔が変更されるよう、前記検出部を前記走査方向へ移動させる露光装置が、提供される。
【０００７】
本発明の第２の態様によれば、マスクが有するパターンに対して照明光を照射し、前記パターンの投影像を物体上に設けられた複数の区画領域のそれぞれに投影しながら走査露光を行う露光方法であって、検出部を前記走査方向へ移動させながら、前記マスク上において走査方向に互いに離れて形成された複数の第１マークと、前記物体上において前記走査方向に互いに離れて形成された複数の第２マークとを検出することと、前記第１マーク及び前記第２マークの検出結果に基づいて、対向した状態で互いに相対位置が調整された前記物体上の第１区画領域及び前記マスクに対して、走査方向の一方側に位置する前記照明系及び前記投影系を、前記走査方向の他方側へ相対的に移動させ、前記第１区画領域の前記走査露光を行うことと、前記第１区画領域に対向する前記マスクが、前記走査方向に関して前記第１区画領域の一方側に設けられた第２区画領域に対向するように、前記物体に対して前記マスクを前記走査方向へ相対移動させることと、前記物体に対する前記マスクの前記走査方向への相対移動中に、前記走査方向に関して前記第１区画領域の他方側に位置する前記照明系と前記投影系とを一方側へ移動させることと、前記第２区画領域に対する前記走査露光の前に、前記走査方向に関して前記照明系及び前記投影系に対する前記検出部の間隔が変更されるよう、前記検出部を前記走査方向へ移動させ、前記複数の第１マークと、前記物体上において前記走査方向に互いに離れて形成された複数の第３マークとを検出することと、前記照明系と前記投影系とを、前記走査方向に関して前記第２区画領域の他方側から一方側へ移動させ、前記マスクに対向された前記第２区画領域の前記走査露光を行うことと、を含む露光方法が、提供される。
【０００８】
本発明の第３の態様によれば、第１の態様に係る露光装置又は第２の態様に係る露光方法を用いてフラットパネルディスプレイに用いられるレジストが塗布された基板を露光することと、露光された前記基板を現像することと、を含むフラットパネルディスプレイの製造方法が、提供される。
【０００９】
本発明の第４の態様によれば、第１の態様に係る露光装置又は第２の態様に係る露光方法を用いてレジストが塗布された前記物体を露光することと、露光された前記物体を現像することと、を含むデバイス製造方法が、提供される。
【図面の簡単な説明】
【００１０】
【図１】第１の実施形態に係る液晶露光装置の概念図である。
【図２】図１の液晶露光装置の制御系を中心的に構成する主制御装置の入出力関係を示すブロック図である。
【図３】投影系本体、及びアライメント顕微鏡の計測系の構成を説明するための図である。
【図４】図４（ａ）〜図４（ｅ）は、基板に対する走査露光時における液晶露光装置の動作を説明するための図（その１〜その５）である。
【図５】図５（ａ）〜図５（ｄ）は、基板に対する走査露光時における液晶露光装置の動作を説明するための図（その６〜その９）である。
【図６】図６（ａ）〜図６（ｄ）は、第２の実施形態における照明領域とマスクとの関係を説明するための図（その１〜その４）である。
【図７】図７（ａ）〜図７（ｅ）は、第２の実施形態に係る液晶露光装置の走査露光時における動作を説明するための図（その１〜その５）である。
【図８】図８（ａ）〜図８（ｄ）は、第３の実施形態における照明領域とマスクとの関係を説明するための図（その１〜その４）である。
【図９】図９（ａ）〜図９（ｅ）は、第３の実施形態に係る液晶露光装置の走査露光時における動作を説明するための図（その１〜その５）である。
【発明を実施するための形態】
【００１１】
《第１の実施形態》
以下、第１の実施形態について、図１〜図５（ｄ）を用いて説明する。
【００１２】
図１には、第１の実施形態に係る液晶露光装置１０の概念図が示されている。液晶露光装置１０は、例えば液晶表示装置（フラットパネルディスプレイ）などに用いられる矩形（角型）のガラス基板Ｐ（以下、単に基板Ｐと称する）を露光対象物とするステップ・アンド・スキャン方式の投影露光装置、いわゆるスキャナである。
【００１３】
液晶露光装置１０は、露光用のエネルギビームである照明光ＩＬを照射する照明系２０と、投影光学系４０とを有している。以下、照明系２０から投影光学系４０を介して基板Ｐに照射される照明光ＩＬの光軸と平行な方向をＺ軸方向と称するとともに、Ｚ軸に直交する平面内に互いに直交するＸ軸及びＹ軸を設定して説明を行う。また、本実施形態の座標系において、Ｙ軸は、重力方向に実質的に平行であるものとする。従って、ＸＺ平面は、水平面に実質的に平行である。また、Ｚ軸回りの回転（傾斜）方向をθｚ方向として説明する。
【００１４】
ここで、本実施形態では、１枚の基板Ｐ上に複数の露光対象領域（適宜、区画領域、又はショット領域と称して説明する）が設定され、これら複数のショット領域に順次マスクパターンが転写される。なお、本実施形態では、基板Ｐ上に４つの区画領域が設定されている（いわゆる４面取り）場合について説明するが、区画領域の数は、これに限定されず、適宜変更が可能である。
【００１５】
また、液晶露光装置１０では、いわゆるステップ・アンド・スキャン方式の露光動作が行われるが、スキャン露光動作時には、マスクＭ、及び基板Ｐが実質的に静止状態とされ、照明系２０及び投影光学系４０（照明光ＩＬ）がマスクＭ、及び基板Ｐに対してそれぞれＸ軸方向（適宜、走査方向と称する）に長ストロークで相対移動する（図１の白矢印参照）。これに対し、露光対象の区画領域を変更するためのステップ動作時には、マスクＭがＸ軸方向に所定のストロークでステップ移動するとともに、基板ＰがＹ軸方向に所定のストロークでステップ移動する（それぞれ図１の黒矢印参照）。
【００１６】
図２には、液晶露光装置１０の構成各部を統括制御する主制御装置９０の入出力関係を示すブロック図が示されている。図２に示されるように、液晶露光装置１０は、照明系２０、マスクステージ装置３０、投影光学系４０、基板ステージ装置５０、アライメント系６０などを備えている。
【００１７】
照明系２０は、照明光ＩＬ（図１参照）の光源（例えば、水銀ランプ）などを含む照明系本体２２を備えている。スキャン露光動作時において、主制御装置９０は、例えばリニアモータなどを含む駆動系２４を制御することにより、照明系本体２２をＸ軸方向に所定の長ストロークでスキャン駆動する。主制御装置９０は、例えばリニアエンコーダなどを含む計測系２６を介して照明系本体２２のＸ軸方向に位置情報を求め、該位置情報に基づいて照明系本体２２の位置制御を行う。本実施形態において、照明光ＩＬとしては、例えばｇ線、ｈ線、ｉ線などが用いられる。
【００１８】
マスクステージ装置３０は、マスクＭを保持するステージ本体３２を備えている。ステージ本体３２は、例えばリニアモータなどを含む駆動系３４によってＸ軸方向及びＹ軸方向に適宜ステップ移動可能に構成されている。Ｘ軸方向に関して露光対象の区画領域を変更するためのステップ動作時において、主制御装置９０は、駆動系３４を制御することにより、ステージ本体３２をＸ軸方向にステップ駆動する。また、後述するように、露光対象の区画領域内でスキャン露光する領域（位置）をＹ軸方向に関して変更するためのステップ動作時には、主制御装置９０は、駆動系３４を制御することにより、ステージ本体３２をＹ軸方向にステップ駆動する。駆動系３４は、後述するアライメント動作時にマスクＭをＸＹ平面内の３自由度（Ｘ、Ｙ、θｚ）方向に適宜微小駆動することも可能である。マスクＭの位置情報は、例えばリニアエンコーダなどを含む計測系３６により求められる。
【００１９】
投影光学系４０は、等倍系で基板Ｐ（図１参照）上にマスクパターンの正立正像を形成する光学系などを含む投影系本体４２を備えている。投影系本体４２は、基板ＰとマスクＭとの間に形成される空間内に配置されている（図１参照）。スキャン露光動作時において、主制御装置９０は、例えばリニアモータなどを含む駆動系４４を制御することにより、投影系本体４２を、照明系本体２２と同期するように、Ｘ軸方向に所定の長ストロークでスキャン駆動する。主制御装置９０は、例えばリニアエンコーダなどを含む計測系４６を介して投影系本体４２のＸ軸方向に位置情報を求め、該位置情報に基づいて投影系本体４２の位置制御を行う。
【００２０】
図１に戻り、液晶露光装置１０では、照明系２０からの照明光ＩＬによってマスクＭ上の照明領域ＩＡＭが照明されると、マスクＭを通過した照明光ＩＬにより、投影光学系４０を介してその照明領域ＩＡＭ内のマスクパターンの投影像（部分正立像）が、基板Ｐ上の照明領域ＩＡＭに共役な照明光ＩＬの照射領域（露光領域ＩＡ）に形成される。そして、マスクＭ、及び基板Ｐに対して、照明光ＩＬ（照明領域ＩＡＭ、及び露光領域ＩＡ）が走査方向に相対移動することで走査露光動作が行われる。すなわち、液晶露光装置１０では、照明系２０、及び投影光学系４０によって基板Ｐ上にマスクＭのパターンが生成され、照明光ＩＬによる基板Ｐ上の感応層（レジスト層）の露光によって基板Ｐ上にそのパターンが形成される。
【００２１】
基板ステージ装置５０は、基板Ｐの裏面（露光面とは反対の面）を保持するステージ本体５２を備えている。図２に戻り、Ｙ軸方向に関して露光対象の区画領域を変更するためのステップ動作時において、主制御装置９０は、例えばリニアモータなどを含む駆動系５４を制御することにより、ステージ本体５２をＹ軸方向にステップ駆動する。駆動系５４は、後述する基板アライメント動作時に基板ＰをＸＹ平面内の３自由度（Ｘ、Ｙ、θｚ）方向に微小駆動することも可能である。基板Ｐ（ステージ本体５２）の位置情報は、例えばリニアエンコーダなどを含む計測系５６により求められる。
【００２２】
図１に戻り、アライメント系６０は、例えば２つのアライメント顕微鏡６２、６４を備えている。アライメント顕微鏡６２、６４は、基板ＰとマスクＭとの間に形成される空間内（Ｚ軸方向に関して基板ＰとマスクＭとの間の位置）に配置されており、基板Ｐに形成されたアライメントマークＭｋ（以下、単にマークＭｋと称する）、及びマスクＭに形成されたマーク（不図示）を検出する。本実施形態において、マークＭｋは、各区画領域の四隅部近傍それぞれに１つ（１つの区画領域につき、例えば４つ）形成されており、マスクＭのマークは、投影光学系４０を介してマークＭｋに対応する位置に形成されている。なお、マークＭｋ、及びマスクＭのマークの数、及び位置については、これに限定されず、適宜変更が可能である。また、各図面において、マークＭｋは、理解を容易にするため、実際よりも大きく図示されている。
【００２３】
一方のアライメント顕微鏡６２は、投影系本体４２の＋Ｘ側に配置され、他方のアライメント顕微鏡６４は、投影系本体４２の−Ｘ側に配置されている。アライメント顕微鏡６２、６４は、それぞれＹ軸方向に離間した一対の検出視野（検出領域）を有しており、ひとつの区画領域内のＹ軸方向に離間した、例えば２つのマークＭｋを同時に検出することができるようになっている。
【００２４】
また、アライメント顕微鏡６２、６４は、マスクＭに形成されたマークと、基板Ｐに形成されたマークＭｋとを同時に（換言すると、アライメント顕微鏡６２、６４の位置を変えずに）検出することが可能となっている。主制御装置９０は、例えばマスクＭがＸステップ動作、又は基板ＰがＹステップ動作を行う毎に、マスクＭに形成されたマークと基板Ｐに形成されたマークＭｋとの相対的な位置ずれ情報を求め、該位置ずれを補正する（打ち消す、又は低減する）ように基板ＰとマスクＭとのＸＹ平面に沿った方向の相対的な位置決めを行う。なお、アライメント顕微鏡６２、６４は、マスクＭのマークを検出（観察）するマスク検出部と、基板ＰのマークＭｋを検出（観察）する基板検出部とが、共通の筐体等によって一体的に構成されており、その共通の筐体を介して駆動系６６により駆動される。あるいは、マスク検出部と基板検出部とが個別の筐体等によって構成されていても良く、その場合には、例えばマスク検出部と基板検出部とが実質的に共通の駆動系６６によって同等の動作特性をもって移動できるように構成することが好ましい。
【００２５】
主制御装置９０（図２参照）は、例えばリニアモータなどを含む駆動系６６（図２参照）を制御することにより、アライメント顕微鏡６２、６４を、Ｘ軸方向に所定の長ストロークでそれぞれ独立に駆動する。また、主制御装置９０は、例えばリニアエンコーダなどを含む計測系６８を介してアライメント顕微鏡６２、６４それぞれのＸ軸方向の位置情報を求め、該位置情報に基づいてアライメント顕微鏡６２、６４の位置制御をそれぞれ独立して行う。また、駆動系６６は、アライメント顕微鏡６２、６４をＹ軸方向に駆動するための、例えばリニアモータも併せて有している。
【００２６】
ここで、アライメント系６０のアライメント顕微鏡６２、６４と、上述した投影光学系４０の投影系本体４２とは、物理的（機械的）に独立（分離）した要素であり、主制御装置９０（図２参照）によって互いに独立して駆動（速度、及び位置）制御が行われるが、アライメント顕微鏡６２、６４を駆動する駆動系６６と、投影系本体４２を駆動する駆動系４４とは、Ｘ軸方向の駆動に関して、例えばリニアモータ、リニアガイドなどの一部を共用しており、アライメント顕微鏡６２、６４、及び投影系本体４２の駆動特性、あるいは主制御装置９０による制御特性が、実質的に同等になるように構成されている。
【００２７】
具体的に一例をあげると、例えばムービングコイル式のリニアモータによってアライメント顕微鏡６２、６４、投影系本体４２それぞれをＸ軸方向に駆動する場合には、固定子である磁性体（例えば、永久磁石など）ユニットが上記駆動系６６と駆動系４４とで共用される。これに対し、可動子であるコイルユニットは、アライメント顕微鏡６２、６４、投影系本体４２それぞれが独立に有しており、主制御装置９０（図２参照）は、該コイルユニットに対する電力供給を個別に行うことにより、アライメント顕微鏡６２、６４のＸ軸方向への駆動（速度、及び位置）と、投影系本体４２のＸ軸方向への駆動（速度、及び位置）とを、独立に制御する。従って、主制御装置９０は、Ｘ軸方向に関するアライメント顕微鏡６２、６４と投影系本体４２との各々の間隔（距離）を、可変とする（任意に変化させる）ことができる。また、主制御装置９０は、Ｘ軸方向に関して、アライメント顕微鏡６２、６４と投影系本体４２とを、異なるスピードで移動させることもできる。
【００２８】
主制御装置９０（図２参照）は、アライメント顕微鏡６２及び６４の少なくとも一方を用いて基板Ｐ上に形成された複数のマークＭｋを検出し、該検出結果（複数のマークＭｋの位置情報）に基づいて、公知のエンハンスト・グローバル・アライメント（ＥＧＡ）方式によって、検出対象のマークＭｋが形成された区画領域の配列情報（区画領域の位置（座標値）、形状等に関する情報を含む）を算出する。
【００２９】
具体的には、走査露光動作において、主制御装置９０（図２参照）は、該走査露光動作に先立って、投影系本体４２の＋Ｘ側に配置されたアライメント顕微鏡６２を用いて、少なくとも露光対象の区画領域内に形成された、例えば４つのマークＭｋの位置検出を行って該区画領域の配列情報を算出する。主制御装置９０は、算出した露光対象の区画領域の配列情報に基づいて、基板ＰのＸＹ平面内の３自由度方向の精密な位置決め（基板アライメント動作）を行いつつ、照明系２０、及び投影光学系４０を適宜制御して、対象の区画領域に対する走査露光動作（マスクパターンの転写）を行う。
【００３０】
次に、投影光学系４０が有する投影系本体４２の位置情報を求めるための計測系４６（図２参照）、及びアライメント系６０が有するアライメント顕微鏡６２、６４の位置情報を求めるための計測系６８の具体的な構成について説明する。
【００３１】
図３に示されるように、液晶露光装置１０は、投影系本体４２を走査方向に案内するためのガイド８０を有している。ガイド８０は、走査方向に平行に延びる部材から成る。ガイド８０は、アライメント顕微鏡６２の走査方向への移動を案内する機能も有する。また、図３では、ガイド８０がマスクＭと基板Ｐとの間に図示されているが、実際には、ガイド８０は、Ｙ軸方向に関して照明光ＩＬの光路を避けた位置に配置されている。
【００３２】
ガイド８０には、少なくとも走査方向に平行な方向（Ｘ軸方向）を周期方向とする反射型の回折格子を含むスケール８２が固定されている。また、投影系本体４２は、スケール８２に対向して配置されたヘッド８４を有している。本実施形態では、上記スケール８２とヘッド８４とにより、投影系本体４２の位置情報を求めるための計測系４６（図２参照）を構成するエンコーダシステムが形成されている。また、アライメント顕微鏡６２、６４は、スケール８２に対向して配置されたヘッド８６を各々有している（図３において、アライメント顕微鏡６４は不図示）。本実施形態では、上記スケール８２とヘッド８６とにより、アライメント顕微鏡６２、６４の位置情報を求めるための計測系６８（図２参照）を構成するエンコーダシステムが形成されている。ここで、ヘッド８４、８６は、それぞれスケール８２に対してエンコーダ計測用のビームを照射し、スケール８２を介したビーム（スケール８２による反射ビーム）を受光して、その受光結果に基づいてスケール８２に対する相対的な位置情報を出力可能となっている。
【００３３】
このように、本実施形態において、スケール８２は、投影系本体４２の位置情報を求めるための計測系４６（図２参照）を構成し、アライメント顕微鏡６２、６４の位置情報を求めるための計測系６８（図２参照）を構成する。すなわち、投影系本体４２とアライメント顕微鏡６２、６４とは、スケール８２に形成された回折格子によって設定される共通の座標系（測長軸）に基づいて位置制御が行われる。なお、投影系本体４２を駆動するための駆動系４４（図２参照）、及びアライメント顕微鏡６２、６４を駆動するための駆動系６６（図２参照）は、要素が一部共通であっても良いし、完全に独立した要素により構成されていても良い。
【００３４】
なお、上記計測系４６、６８（それぞれ図２参照）を構成するエンコーダシステムは、測長軸が、例えばＸ軸方向（走査方向）のみであるリニア（１ＤＯＦ）エンコーダシステムであっても良いし、より多くの測長軸を有しても良い。例えば、ヘッド８４、８６をＹ軸方向に所定間隔で複数配置することにより、投影系本体４２、アライメント顕微鏡６２、６４のθｚ方向の回転量を求めても良い。また、スケール８２にＸＹ２次元回折格子を形成し、Ｘ、Ｙ、θｚ方向の３自由度方向に測長軸を有する３ＤＯＦエンコーダシステムとしても良い。さらに、ヘッド８４、８６として、回折格子の周期方向と併せてスケール面に直交する方向の測長が可能な公知の２次元ヘッドを複数用いることにより、投影系本体４２、アライメント顕微鏡６２の６自由度方向の位置情報を求めても良い。
【００３５】
次に、液晶露光装置１０を用いたステップ・アンド・スキャン方式の露光動作について、図４（ａ）〜図５（ｄ）を用いて説明する。以下の露光動作（アライメント動作を含む）は、主制御装置９０の管理下で行われる。なお、露光動作時の基板ＰとマスクＭとの関係を説明するための図４（ａ）〜図５（ｄ）では、理解を容易にするため、基板Ｐに形成される回路パターンをＦの字で説明するものとする。
【００３６】
また、実際には、照明光ＩＬ（図１参照）が照射されない場合は、基板Ｐ上に露光領域ＩＡは生成されないが、ここでは理解を容易にするため、図４（ａ）〜図５（ｄ）において、露光領域ＩＡが白く図示されている場合は、照明系２０（図１参照）からの照明光ＩＬにより基板Ｐ上に露光領域ＩＡが生成されているものとし、露光領域ＩＡが黒く図示されている場合は、照明光ＩＬが照射されていないものとする。
【００３７】
図４（ａ）に示されるように、本実施形態において、露光順が最初である区画領域（以下、第１ショット領域Ｓ１と称する）は、基板Ｐの−Ｘ側且つ−Ｙ側に設定されている。マスクＭは、基板Ｐの第１ショット領域Ｓ１に対向している。主制御装置９０（図４（ａ）〜図５（ｄ）では不図示。図２参照）は、アライメント顕微鏡６２（図２参照）を用いてマスクＭと第１ショット領域Ｓ１との相対的な位置決めを行う。具体的には、主制御装置９０は、アライメント顕微鏡６２を＋Ｘ方向に駆動して、第１ショット領域Ｓ１内に形成されたマークＭｋ（不図示）を検出する。主制御装置９０は、このアライメント顕微鏡６２の検出結果に基づいて基板ＰのＸＹ平面内の３自由度方向の精密な位置決めを行う。なお、主制御装置９０は、他のショット領域を露光する際にも、露光前のアライメント顕微鏡６２をＸ軸方向に駆動させマークＭｋを検出し、その検出結果に基づいて基板Ｐの微小位置決めを行うが、以下では説明を省略する。
【００３８】
この後、主制御装置９０は、図４（ｂ）に示されるように、露光領域ＩＡが基板Ｐ上で＋Ｘ方向に等速で移動するように、照明系本体２２、及び投影系本体４２（それぞれ図１及び図２参照）を＋Ｘ方向に同期駆動する。
【００３９】
図４（ｃ）には、第１ショット領域Ｓ１への露光動作が終了した直後の状態が示されている。次いで、主制御装置９０は、第１ショット領域Ｓ１の＋Ｙ側に設定された第２ショット領域Ｓ２に対して露光動作を行うために、図４（ｄ）に示されるように、基板Ｐを−Ｙ方向にＹステップ駆動（図４（ｄ）の黒矢印参照）する。これにより、マスクＭが基板Ｐ上の第２ショット領域Ｓ２に対向する。
【００４０】
この後、主制御装置９０は、照明系本体２２、及び投影系本体４２（それぞれ図１及び図２参照）を−Ｘ方向に同期駆動して、第２ショット領域Ｓ２への露光動作を行う。このように、本実施形態では、第１回目の露光動作と、第２回目の露光動作とで、照明光ＩＬ（露光領域ＩＡ）の走査方向が逆転する。
【００４１】
次いで、主制御装置９０は、図５（ａ）に示されるように、第３ショット領域Ｓ３（第２ショット領域Ｓ１の＋Ｘ側）に対して露光動作を行うために、マスクＭを＋Ｘ方向にＸステップ駆動（図５（ａ）の黒矢印参照）する。この状態で、図５（ｂ）に示されるように、照明光ＩＬ（露光領域ＩＡ）が＋Ｘ方向に走査され、これにより、第３ショット領域Ｓ３にマスクＭのパターンが転写される。なお、図４（ｅ）に示される状態から、マスクＭが＋Ｘ方向にＸステップ駆動されているときに、照明系本体２２及び投影系本体４２をマスクＭの＋Ｘ方向にＸステップ駆動が完了した後すぐに第３ショット領域Ｓ３にマスクＭのパターンを転写しやすい位置に駆動させておいてもよい。換言すると、マスクＭをＸ方向にＸステップ駆動させているときに、照明系本体２２及び投影系本体４２を第３ショット領域Ｓ３の露光開始位置まで予め駆動させておく。それに、第３ショット領域Ｓ３の露光開始までの時間を短縮することができる。
【００４２】
図５（ｃ）には、第４ショット領域Ｓ４（第３ショット領域Ｓ３の−Ｙ側）に対して露光動作を行うために、図５（ｂ）に示される状態から、基板Ｐが＋Ｙ方向にＹステップ駆動された状態が示されている。この状態で、図５（ｄ）に示されるように、照明光ＩＬ（露光領域ＩＡ）が−Ｘ方向に走査され、これにより、第４ショット領域Ｓ４にマスク２のパターンが転写される。
【００４３】
以上説明した第１の実施形態に係る液晶露光装置１０によれば、走査方向に隣接する２つの区画領域に対して走査露光を行う際、基板ＰのＸ軸方向の位置を変えずにマスクＭを走査方向（Ｘ軸方向）にステップ移動させるので、基板ステージ装置５０（図１参照）のフットプリント、つまり液晶露光装置１０の設置面積の増大を抑制できる。従って、液晶露光装置１０全体をコンパクトにすることができる。
【００４４】
また、基板ＰをＹステップ移動させることができるので、照明系本体２２、及び投影系本体４２（すなわち照明光ＩＬの光軸）のＹ軸方向に対する位置を変えることなく、Ｙ軸方向に対して異なる位置の区画領域に対して走査露光動作を行うことができる。これにより、照明系２０、及び投影光学系４０それぞれを単軸（Ｘ軸）ステージ装置として構成することができ、装置構成が簡単になる。また、照明系本体２２、及び投影系本体４２の位置制御性が向上する。
【００４５】
《第２の実施形態》
次に第２の実施形態に係る液晶露光装置について、図６（ａ）〜図７（ｅ）を用いて説明する。第２の実施形態に係る液晶露光装置の構成は、マスクＭ上に形成される照明領域、及び基板Ｐ上に形成される露光領域の形状が異なる点、及び照明系２０及び投影光学系４０がＹ軸方向にステップ移動可能である点を除き、上記第１の実施形態と同じであるので、以下、相違点についてのみ説明し、上記第１の実施形態と同じ構成及び機能を有する要素については、上記第１の実施形態と同じ符号を付してその説明を省略する。
【００４６】
図６（ａ）に示されるように、本第２の実施形態において、照明領域ＩＡＭは、Ｙ軸方向に離間した、例えば２つの矩形の領域により形成される。照明領域ＩＡＭを構成する、例えば２つの矩形の領域それぞれのＹ軸方向の長さは、マスクＭのＹ軸方向の長さの、例えば１／４程度に設定されている。また、照明領域ＩＡＭを構成する、例えば２つの矩形の領域の間の間隔も、同様にマスクＭのＹ軸方向の長さの、例えば１／４程度に設定されている。
【００４７】
本第２の実施形態では、図６（ｂ）に示されるように、マスクＭの下端（−Ｙ側の端部）と照明領域ＩＡＭの下端（−Ｙ側の端部）とをほぼ一致された状態で、照明光ＩＬ（照明領域ＩＡＭ）が＋Ｘ方向に走査される。これにより、マスクＭ上のＹ軸方向に互いに離間した、例えば２つの帯状の領域が照明される。基板Ｐ（図６（ｂ）では不図示。図１参照）は、これらの領域に対応する、Ｙ軸方向に離間した、例えば２つの帯状の領域が露光される。
【００４８】
また、上記走査露光で転写されたなかったマスクパターンの残りの部分を露光するため、本第２の実施形態では、図６（ｃ）に示されるように、照明領域ＩＡＭ（及び不図示の露光領域ＩＡ）がＹ軸方向にＹステップ移動（図６（ｃ）の白矢印参照）する。具体的には、照明系本体２２、及び投影系本体４２（それぞれ図１及び図２参照）が、それぞれ駆動系２４、４４（それぞれ図２参照）により、同期してＹ軸方向に移動するように主制御装置９０（図２参照）により制御される。この際、主制御装置９０は、マスクＭ上の未露光の領域と照明領域ＩＡＭとのＹ軸方向に対する位置がほぼ一致するように、照明領域ＩＡＭのＹ軸方向の位置決めを行う。具体的には、主制御装置９０により、アライメント顕微鏡６２を用いて照明系本体２２、投影系本体４２、マスクＭ、及び基板Ｐの相対的な位置決めを行う。なお、主制御装置９０は、照明系本体２２、及び投影系本体４２が、それぞれの駆動系２４、４４により、同期してＹ軸方向に移動させる度に、アライメント顕微鏡６２を用いて照明系本体２２、投影系本体４２、マスクＭ、及び基板Ｐの相対的な位置決めを行うが、以下では説明を省略する。
【００４９】
この後、図６（ｄ）に示されるように、照明光ＩＬ（照明領域ＩＡＭ）が−Ｘ方向に走査される。これにより、上記第１回目の走査露光動作で基板Ｐ（図１参照）に転写できなかったマスクパターンが基板Ｐに転写される。このように、本第２の実施形態では、基板Ｐ（図１参照）上のひとつの区画領域に所望のパターンを形成するために、合計で、例えば２回の走査露光動作を行う。つまり、所望の回路パターンを区画領域に形成するために、投影系本体４２をＸ方向へ往復駆動させて繋ぎ合わせ露光を行う。
【００５０】
次に、第２の実施形態における走査露光動作について、図７（ａ）〜図７（ｅ）を用いて説明する。図７（ａ）には、第１ショット領域Ｓ１に対して露光動作を行うために、マスクＭが基板Ｐ上の第１ショット領域Ｓ１に対向するように位置決めされた状態が示されている。この状態で、図７（ｂ）に示されるように、照明光ＩＬ（露光領域ＩＡ）が＋Ｘ方向に走査され、これにより、第１ショット領域Ｓ１の一部の領域（Ｙ軸方向に互いに離間した、例えば２つの帯状の領域）にマスクＭのパターンの一部が転写される。以下、図７（ｃ）に示されるように、照明系本体２２、及び投影系本体４２（それぞれ図１及び図２参照）が＋Ｙ方向にＹステップ移動（図７（ｃ）の黒矢印参照）し、この後、図７（ｄ）に示されるように、照明光ＩＬ（露光領域ＩＡ）が−Ｘ方向に走査される。これにより、第１ショット領域Ｓ１に対してマスクパターンが転写される。
【００５１】
以下、第２ショット領域Ｓ２に対する走査露光動作のために基板Ｐが−Ｙ方向にＹステップ駆動される点（図７（ｅ）参照）、第３ショット領域Ｓ３に対する走査露光動作のためにマスクＭが＋Ｘ方向にＸステップ駆動される点（不図示）、及び第４ショット領域Ｓ４に対する走査露光動作のために基板Ｐが＋Ｙ方向にＹステップ駆動される点（不図示）は、それぞれ上記第１の実施形態と同様であるので、説明を省略する。
【００５２】
以上説明した第２の実施形態によれば、照明領域ＩＡＭ、及び露光領域ＩＡ（照明光ＩＬの光束の断面積）が上記第１の実施形態よりも狭いので、照明系本体２２、及び投影系本体４２（それぞれ図１参照）を小型化、軽量化することができる。これにより、照明系本体２２、及び投影系本体４２の位置制御性が向上するので、高速且つ高精度の走査露光動作か可能となる。
【００５３】
《第３の実施形態》
次に第３の実施形態について図８（ａ）〜図９（ｅ）を用いて説明する。第３の実施形態に係る液晶露光装置の構成は、マスクＭ上に形成される照明領域、及び基板Ｐ上に形成される露光領域の形状が異なる点を除き、上記第２の実施形態と同じであるので、以下、相違点についてのみ説明し、上記第１又は第２の実施形態と同じ構成及び機能を有する要素については、上記第１又は第２の実施形態と同じ符号を付してその説明を省略する。
【００５４】
上記第２の実施形態において、マスクＭ上に生成される照明領域ＩＡＭ、及び基板Ｐ上に生成される露光領域ＩＡは、２つの領域により形成されていた（図６（ａ）、図７（ａ）など参照）のに対し、本第３の実施形態では、図８（ａ）に示されるように、照明領域ＩＡＭは、上記第１の実施形態と同様にＹ軸方向に延びるひとつの矩形の領域により形成される。ただし、上記第１の実施形態において、照明領域ＩＡＭの長さがマスクＭのＹ軸方向の長さとほぼ同じであった（図１など参照）のに対し、本第３の実施形態では、照明領域ＩＡＭの長さは、マスクＭのＹ軸方向の長さのほぼ半分である。また、本第３の実施形態でも、上記第２の実施形態と同様に、照明系本体２２及び投影系本体４２（図１参照）は、Ｙ軸方向にステップ移動可能となっている。
【００５５】
図８（ｂ）に示されるように、本第３の実施形態でも上記第２の実施形態と同様に、マスクＭの下端（−Ｙ側の端部）と照明領域ＩＡＭの下端（−Ｙ側の端部）とをほぼ一致された状態で、照明光ＩＬ（照明領域ＩＡＭ）が＋Ｘ方向に走査され、これによりマスクＭの下（−Ｙ側）半分のマスクパターンが基板（不図示）に転写される。この後、照明系本体２２、及び投影系本体４２（それぞれ図１参照）が＋Ｙ方向へＹステップ駆動（図８（ｃ）の白矢印参照）されるとともに、図８（ｄ）に示されるように、照明光ＩＬ（照明領域ＩＡＭ）が−Ｘ方向に走査されること（図８（ｄ）の黒矢印参照）により、マスクパターンの残りの部分（上側（＋Ｙ側）半分）が基板（不図示）に転写される。
【００５６】
次に、第３の実施形態における走査露光動作について、図９（ａ）〜図９（ｅ）を用いて説明する。図９（ａ）には、第１ショット領域Ｓ１に対して露光動作を行うために、マスクＭが基板Ｐ上の第１ショット領域Ｓ１に対向するように位置決めされた状態が示されている。この状態で、図９（ｂ）に示されるように、照明光ＩＬ（露光領域ＩＡ）が＋Ｘ方向に走査され、これにより、第１ショット領域Ｓ１の下（−Ｙ側）半分の領域にマスクＭのパターンの一部が転写される。以下、図９（ｃ）に示されるように、照明系本体２２、及び投影系本体４２（それぞれ図１参照）が＋Ｙ方向にＹステップ移動（図９（ｃ）の黒矢印参照）し、この後、図９（ｄ）に示されるように、照明光ＩＬ（露光領域ＩＡ）が−Ｘ方向に走査される。これにより、第１ショット領域Ｓ１に対してマスクパターンが転写される。
【００５７】
以下、第２ショット領域Ｓ２に対する走査露光動作のために基板Ｐが−Ｙ方向にＹステップ駆動される点（図９（ｅ）参照）、第３ショット領域Ｓ３に対する走査露光動作のためにマスクＭが＋Ｘ方向にＸステップ駆動される点（不図示）、及び第４ショット領域Ｓ４に対する走査露光動作のために基板Ｐが＋Ｙ方向にＹステップ駆動される点（不図示）は、それぞれ上記第１及び第２の実施形態と同様であるので、説明を省略する。以上説明した第３の実施形態も、上記第２の実施形態と同様の効果を得ることができる。
【００５８】
なお、以上説明した第１〜第３の各実施形態に係る構成は、適宜変更が可能である。例えば上記各実施形態では、マスクＭをＸ軸方向（スキャン方向、走査方向）にＸステップ移動させることにより、Ｘ軸方向に隣接する、例えば２つの区画領域それぞれにマスクパターンを転写したが、Ｘ軸方向に隣接する、例えば３つ以上の区画領域それぞれにマスクパターンを転写しても良い。また、上記実施形態では、基板ＰをＹ軸方向にＹステップ移動させたが、Ｘ軸（スキャン）方向に隣接する複数の区画領域それぞれにマスクパターンを転写できれば、基板Ｐのステップ駆動機構は、必ずしも必要ではなく、基板Ｐの位置は固定あっても良い。
【００５９】
繋ぎ合わせ露光を行う場合、往路用、復路用のアライメント顕微鏡６２を露光方向に対して投影系本体４２の前後に配置しても良い。この場合、往路用（第１露光走査用）のアライメント顕微鏡により、マスクＭと基板Ｐとの相対的な位置決め行うためのマークＭｋを検出し、復路用（第２露光走査用）のアライメント顕微鏡によって、継ぎ部近傍のマークを検出しても良い。継ぎ部近傍のマークとしては、予め基板にマークを形成しても良いし、露光済みのパターンをマークとしても良い。
【００６０】
なお、主制御装置９０は、照明領域ＩＡＭのＹ軸方向の位置決めを行うためにアライメント顕微鏡６２の計測結果を用いず、不図示のエンコーダ等を用いて照明系本体２２、及び投影系本体４２のＹ軸方向の位置決めを行うようにしても良い。
【００６１】
また、上記第２及び第３の実施形態では、照明系２０（照明系本体２２）及び投影光学系４０（投影系本体４２）がそれぞれＹ軸方向にステップ移動可能とされたが、これに限られず、マスクステージ装置３０のステージ本体３２をＹ軸方向に移動可能とし、マスクＭ、及び基板ＰをＹステップ移動させても良い。
【００６２】
また、上記各実施形態では、照明系２０で用いられる光源、及び該光源から照射される照明光ＩＬの波長は、特に限定されず、例えばＡｒＦエキシマレーザ光（波長１９３ｎｍ）、ＫｒＦエキシマレーザ光（波長２４８ｎｍ）などの紫外光や、Ｆ2レーザ光（波長１５７ｎｍ）などの真空紫外光であっても良い。
【００６３】
また、上記実施形態では、光源を含む照明系本体２２が走査方向に駆動されたが、これに限られず、例えば特開２０００−１２４２２号公報に開示される露光装置と同様に、光源を固定とし、照明光ＩＬのみが走査方向に走査されるようにしても良い。
【００６４】
また、上記各実施形態では、投影光学系４０として、等倍系が用いられたが、これに限られず、縮小系、あるいは拡大系を用いても良い。また、投影光学系を有していなくても良い。
【００６５】
また、照明領域ＩＡＭ、露光領域ＩＡは、上記実施形態ではＹ軸方向に延びる帯状に形成されたが、これに限られず、例えば米国特許第５，７２９，３３１号明細書に開示されるように、千鳥状に配置された複数の領域を組み合わせても良い。
【００６６】
また、上記各実施形態では、マスクＭ、及び基板Ｐが、水平面に直交するように配置（いわゆる縦置き配置）されたが、これに限られず、マスクＭ、及び基板Ｐは、水平面に平行に配置されても良い。この場合、照明光ＩＬの光軸は、重力方向とほぼ平行とされる。
【００６７】
また走査露光動作時にアライメント計測の結果に応じて基板ＰのＸＹ平面内の微小位置決めを行ったが、これと併せて、走査露光動作前に（あるいは走査露光動作と並行して）基板Ｐの面位置情報を求め、走査露光動作中に基板Ｐの面位置制御（いわゆるオートフォーカス制御）を行っても良い。
【００６８】
また、上記実施形態のように、ひとつのマスクパターンを区画領域に形成するために、投影系本体４２を往復させて繋ぎ合わせ露光を行う場合、互いに異なる検出視野を有する往路用及び復路用のアライメント顕微鏡を走査方向（Ｘ方向）に関して投影系本体４２の前後に配置する。この場合、往路用（１回目の露光動作用）のアライメント顕微鏡により、区画領域の四隅のマークＭｋを検出し、復路用（２回目の露光動作用）のアライメント顕微鏡によって、継ぎ部近傍のマークＭｋを検出しても良い。ここで、継ぎ部とは、往路の走査露光で露光された領域（パターンが転写された領域）と復路の走査露光で露光された領域（パターンが転写された領域）との継ぎ合わせ部分を意味する。継ぎ部近傍のマークＭｋとしては、予め基板ＰにマークＭｋを形成しても良いし、露光済みのパターンをマークＭｋとしても良い。なお、第１ショット領域Ｓ１に限らず、他のショット領域において繋ぎ合わせ露光を行う場合も同様である。上記実施形態では、投影系本体４２を＋Ｘ方向に駆動して走査露光動作を行う場合、往路用のアライメント顕微鏡はアライメント顕微鏡６２、復路用のアライメント顕微鏡はアライメント顕微鏡６４である。また、投影系本体４２を−Ｘ方向に駆動して走査露光動作を行う場合、往路用のアライメント顕微鏡はアライメント顕微鏡６４、復路用のアライメント顕微鏡はアライメント顕微鏡６２である。
【００６９】
また、露光装置の用途としては、角型のガラスプレートに液晶表示素子パターンを転写する液晶用の露光装置に限定されることなく、例えば有機ＥＬ（Electro-Luminescence）パネル製造用の露光装置、半導体製造用の露光装置、薄膜磁気ヘッド、マイクロマシン及びＤＮＡチップなどを製造するための露光装置にも広く適用できる。また、半導体素子などのマイクロデバイスだけでなく、光露光装置、ＥＵＶ露光装置、Ｘ線露光装置、及び電子線露光装置などで使用されるマスク又はレチクルを製造するために、ガラス基板又はシリコンウエハなどに回路パターンを転写する露光装置にも適用できる。
【００７０】
また、露光対象となる物体はガラスプレートに限られず、例えばウエハ、セラミック基板、フィルム部材、あるいはマスクブランクスなど、他の物体でも良い。また、露光対象物がフラットパネルディスプレイ用の基板である場合、その基板の厚さは特に限定されず、例えばフィルム状（可撓性を有するシート状の部材）のものも含まれる。なお、本実施形態の露光装置は、一辺の長さ、又は対角長が５００ｍｍ以上の基板が露光対象物である場合に特に有効である。また、露光対象の基板が可撓性を有するシート状である場合には、該シートがロール状に形成されていても良い。この場合、ステージ装置のステップ動作によらず、ロールを回転させる（巻き取る）ことによって、容易に照明領域（照明光）に対して露光対象の区画領域を変更する（ステップ移動させる）ことができる。
【００７１】
液晶表示素子（あるいは半導体素子）などの電子デバイスは、デバイスの機能・性能設計を行うステップ、この設計ステップに基づいたマスク（あるいはレチクル）を製作するステップ、ガラス基板（あるいはウエハ）を製作するステップ、上述した各実施形態の露光装置、及びその露光方法によりマスク（レチクル）のパターンをガラス基板に転写するリソグラフィステップ、露光されたガラス基板を現像する現像ステップ、レジストが残存している部分以外の部分の露出部材をエッチングにより取り去るエッチングステップ、エッチングが済んで不要となったレジストを取り除くレジスト除去ステップ、デバイス組み立てステップ、検査ステップ等を経て製造される。この場合、リソグラフィステップで、上記実施形態の露光装置を用いて前述の露光方法が実行され、ガラス基板上にデバイスパターンが形成されるので、高集積度のデバイスを生産性良く製造することができる。
【産業上の利用可能性】
【００７２】
以上説明したように、本発明の露光装置及び方法は、物体を走査露光するのに適している。また、本発明のフラットパネルディスプレイの製造方法は、フラットパネルディスプレイの生産に適している。また、本発明のデバイス製造方法は、マイクロデバイスの生産に適している。
【符号の説明】
【００７３】
１０…液晶露光装置、２０…照明系、３０…マスクステージ装置、４０…投影光学系、５０…基板ステージ装置、６０…アライメント系、Ｍ…マスク、Ｐ…基板。
【図１】
0006701597.tif 000002
【図２】
0006701597.tif 000003
【図３】
0006701597.tif 000004
【図４】
0006701597.tif 000005
【図５】
0006701597.tif 000006
【図６】
0006701597.tif 000007
【図７】
0006701597.tif 000008
【図８】
0006701597.tif 000009
【図９】
0006701597.tif 000010